(57)【要約】【課題】信頼性が高く安定した他局のＣＭの調査結果を低コストで得られるＣＭ調査装置を提供する。【解決手段】調査対象となる他局ＣＭがＣＭの識別のために蓄積している他局ＣＭと対比して同一性を判断し、処理対象の他局ＣＭに同一の他局ＣＭがあれば当該他局ＣＭと識別し、処理対象の他局ＣＭに同一の他局ＣＭがなければ処理対象の他局ＣＭを識別のために格納しているので、他局ＣＭを正確に分析するための調査結果を得ることができる。【選択図】図３
2008176705.tif 000002
【特許請求の範囲】
【請求項１】
調査対象となる他局ＣＭをＣＭ蓄積記憶手段から取得するデータ読込部と、
重複することなく他局ＣＭを記憶する他局ＣＭ記憶手段に記憶される他局ＣＭと当該データ読込部が取得した他局ＣＭを対比して他局ＣＭの同一性の判断を行うＣＭ照合部と、
当該ＣＭ照合部により他局ＣＭ記憶手段の他局ＣＭと同一でないと判断された他局ＣＭを前記他局ＣＭ記憶手段に格納する他局ＣＭ格納部とを備え、
前記ＣＭ照合部により他局ＣＭ記憶手段の他局ＣＭと同一と判断された場合に、処理対象の他局ＣＭが同一とされた他局ＣＭ記憶手段の他局ＣＭと同一であることを示す情報を他局ＣＭ情報管理記憶手段に記憶するＣＭ調査装置。
【請求項２】
前記ＣＭ照合部が、重複することなく自局ＣＭを記憶する自局ＣＭ記憶手段に記憶される自局ＣＭと前記データ読込部が取得した他局ＣＭを対比して他局ＣＭの同一性の判断を行い、
前記ＣＭ照合部により自局ＣＭ記憶手段の自局ＣＭと同一と判断された場合に、処理対象の他局ＣＭが同一とされた自局ＣＭ記憶手段の自局ＣＭと同一であることを示す情報を他局ＣＭ情報管理記憶手段に記憶する
前記請求項１に記載のＣＭ調査装置。
【請求項３】
前記ＣＭ照合部が、重複することなく自局ＣＭを記憶する自局ＣＭ記憶手段に記憶される自局ＣＭと前記データ読込部が取得した他局ＣＭを対比して他局ＣＭの同一性の判断を行い、
前記ＣＭ照合部により自局ＣＭ記憶手段の自局ＣＭと同一と判断された他局ＣＭについて他局ＣＭ情報を他局ＣＭ情報管理記憶手段に記憶しない
前記請求項１に記載のＣＭ調査装置。
【請求項４】
自局ＣＭをＣＭ蓄積記憶手段から取得する自局ＣＭデータ読込部と、
重複することなく自局ＣＭを記憶する自局ＣＭ記憶手段に記憶される自局ＣＭと前記データ読込部が取得した自局ＣＭを対比して自局ＣＭの同一性の判断を行う自局ＣＭ照合部と、
当該自局ＣＭ照合部により自局ＣＭ記憶手段の自局ＣＭと同一でないと判断された自局ＣＭを前記自局ＣＭ記憶手段に格納する自局ＣＭ格納部とを含む自局ＣＭ蓄積装置と、前記請求項２または３に記載のＣＭ調査装置からなるＣＭ調査システム。
【請求項５】
前記請求項１ないし４のいずれかのＣＭ調査装置により他局ＣＭ情報管理記憶手段に記憶された他局ＣＭ情報を調査結果として出力するＣＭ調査結果出力部を含むＣＭ調査利用者端末であって、
ＣＭ調査結果出力部が、他局ＣＭのうち同一のＣＭであることを示す情報に基づく他局ＣＭ毎の回数が所定回又は所定回以下の他局ＣＭについて調査結果として出力しないＣＭ調査利用者端末。
【請求項６】
調査対象となる他局ＣＭをＣＭ蓄積記憶手段から取得するデータ読込部と、
重複することなく他局ＣＭを記憶する他局ＣＭ記憶手段に記憶される他局ＣＭと当該データ読込部が取得した他局ＣＭを対比して他局ＣＭの同一性の判断を行うＣＭ照合部と、
当該ＣＭ照合部により他局ＣＭ記憶手段の他局ＣＭと同一でないと判断された他局ＣＭを前記他局ＣＭ記憶手段に格納する他局ＣＭ格納部としてコンピュータを機能させ、
前記ＣＭ照合部により他局ＣＭ記憶手段の他局ＣＭと同一と判断された場合に、処理対象の他局ＣＭが同一とされた他局ＣＭ記憶手段の他局ＣＭと同一であることを示す情報を他局ＣＭ情報管理記憶手段に記憶するＣＭ調査プログラム。
【発明の詳細な説明】
【技術分野】
【０００１】
本発明は、放送局から放送信号に含まれて番組と共に送信されるＣＭを調査するＣＭ調査システムに関し、特に、他局のＣＭを対象とするＣＭ調査を行うＣＭ調査システムに関する。
【背景技術】
【０００２】
マスメディアの低迷、インターネットの台頭により、放送局の広告収入は減少傾向にあり、ＴＶＣＭの広告収入に依存するビジネスモデルが脅かされている。
このように業界全体でのＴＶＣＭの広告収入が拡大しない状況下で、広告主を確保することの重要性は高まるばかりである。特に、新たな広告主の確保は重要である。
【０００３】
そのために、東名阪（キー局、準キー局）では高額な委託契約で人手によるＴＶＣＭ調査を恒常的に実施し、他局で放送されているＣＭが自局で放送されているかどうかを把握しようとしている。
【特許文献１】特開２００１−３５７２８４号公報
【特許文献２】特開平５−１８３８８７号公報
【発明の開示】
【発明が解決しようとする課題】
【０００４】
前記ＴＶＣＭ調査は、自局と競合する他局が放送する全てのチャネルを調査員が見て、調査項目を記入している。調査対象のチャネルが増加するに増えて調査員の数も必要となり、その費用も莫大となる。また、記入する調査項目は、他局のＴＶＣＭについて放送時間、広告主、広告内容であるが、この記入内容を自局のＴＶＣＭと照合する必要がある。自局のＴＶＣＭのプログラムは明らかになっているものの、自局のＴＶＣＭのプログラムと調査項目の記入内容との対比による同一のＴＶＣＭか否かを判断するＴＶＣＭの照合は記入内容にも依存するためその信頼性は高くはない。また、他局のＴＶＣＭ内においても、同じＴＶＣＭの回数などを集計するためには、同じＴＶＣＭか否かを判断する必要があり、同様の課題を有する。さらに、ＴＶＣＭの調査員と、照合する担当者が異なる場合には、その信頼性はさらに低くなる。つまり、現在の調査方法では調査結果の信頼性が高くなく、人手で行うために安定性もなく（経験の浅い調査員による調査結果と経験の長い調査員による調査結果でバラツキが生じ、また、同じ調査員で長時間に行った調査結果と交代制で行った調査結果でもバラツキが生じる）、コストも過大となるという課題を有する。
【０００５】
ところで、放送局などの媒体社が、相互に広告枠を交換するシステムが特許文献１に開示されている。このシステムは、媒体社が主催者に無料で提供する宣伝広告枠を入力する広告枠入力部と、入力された広告枠データを記憶する広告枠記憶部と、前記媒体社が広告を出したい他の媒体社を入力する広告希望入力部と、入力された広告希望データを記憶する広告希望記憶部と、前記広告枠データと前記広告希望枠データと突合わせ、前記広告枠データと、前記広告希望データとが一致するときこれらのデータを組合せる組合せ処理部と、前記組合せデータ出力する組合せ出力部とを備えるものである。この特許文献１のシステムによれば、多数の媒体社間で広告宣伝枠の交換を行うことができるものの、他局のＴＶＣＭ動向を把握することはできず、前記課題を解決することはできない。
【０００６】
また、同じ系列のキー局から配信される放送信号内のＴＶＣＭを自局のＴＶＣＭに差し替えるテレビジョン文字多重放送送出方式が特許文献２に開示されている。このテレビジョン文字多重放送送出方式は、送出装置内にあらかじめ格納されている表示画面データまたは音符データに対する送出順番及び処理を定める編成データを有し、この編成データの指示により番組の情報の指定ページ表示画面データまたは音符データを別に作成してある表示画面データまたは音符データに差し替えるものである。この特許文献２の方式によれば、即効性をもって表示画面データまたは音符データを差し替えることができるものの、他局のＴＶＣＭ動向を把握することはできず、前記課題を解決することはできない。
そこで、本発明は前記課題を解決するためになされたものであり、信頼性が高く安定した他局のＣＭの調査結果を低コストで得られるＣＭ調査装置を提供することを目的とする。
【課題を解決するための手段】
【０００７】
（１）他局ＣＭと過去の他局ＣＭの同一性を判断して他局ＣＭを識別する
本発明に係るＣＭ調査装置は、調査対象となる他局ＣＭをＣＭ蓄積記憶手段から取得するデータ読込部と、重複することなく他局ＣＭを記憶する他局ＣＭ記憶手段に記憶される他局ＣＭと当該データ読込部が取得した他局ＣＭを対比して他局ＣＭの同一性の判断を行うＣＭ照合部と、当該ＣＭ照合部により他局ＣＭ記憶手段の他局ＣＭと同一でないと判断された他局ＣＭを前記他局ＣＭ記憶手段に格納する他局ＣＭ格納部とを備え、前記ＣＭ照合部により他局ＣＭ記憶手段の他局ＣＭと同一と判断された場合に、処理対象の他局ＣＭが同一とされた他局ＣＭ記憶手段の他局ＣＭと同一であることを示す情報を他局ＣＭ情報管理記憶手段に記憶するものである。
【０００８】
このように本発明によれば、調査対象となる他局ＣＭがＣＭの識別のために蓄積している他局ＣＭと対比して同一性を判断し、処理対象の他局ＣＭに同一の他局ＣＭがあれば当該他局ＣＭと識別し、処理対象の他局ＣＭに同一の他局ＣＭがなければ処理対象の他局ＣＭを識別のために格納しているので、他局ＣＭを正確に分析するための調査結果を得ることができるという効果を奏する。この同一のＣＭであることを示す情報を集計することで、その調査期間に放送された他局ＣＭ毎の放送回数を把握することができる。
【０００９】
ＣＭ蓄積記憶手段は後説する実施形態ではＣＭ蓄積データベースである。ＣＭ調査装置がＣＭ蓄積記憶手段を有してもよい。
他局ＣＭ記憶手段は後説する実施形態では他局ＣＭデータベースである。ＣＭ調査装置が他局ＣＭ記憶手段を有してもよい。
【００１０】
処理対象の他局ＣＭが同一とされた他局ＣＭ記憶手段の他局ＣＭと同一であることを示す情報を他局ＣＭ情報管理記憶手段に記憶すると前記したが、より後説する実施形態に従えば、この前記に代わりに、前記ＣＭ照合部により他局ＣＭ記憶手段の他局ＣＭと同一と判断された他局ＣＭについて他局ＣＭ情報を同一のＣＭであることを示す識別情報を付与して他局ＣＭ情報管理記憶手段に記憶する他局ＣＭ情報操作部をＣＭ調査装置がさらに含むとすることができる。ここで、同一のＣＭであることを示す識別情報は後説する実施形態では重複ＣＭＩＤである。例えば、後説する実施形態のように他局ＣＭ毎に重複ＣＭＩＤを付与する代わりに、同一の他局ＣＭを同じグループとして記憶してグループのメンバ数を同一の他局ＣＭの回数とすることもでき、また、同一の他局ＣＭを同じリストに繋げて記憶して同様に同じリスト内のデータ個数を同一の他局ＣＭの回数とすることもできる。
【００１１】
（２）他局ＣＭと過去の自局ＣＭの同一性を判断して他局ＣＭを識別する
本発明に係るＣＭ調査装置は必要に応じて、前記ＣＭ照合部が、重複することなく自局ＣＭを記憶する自局ＣＭ記憶手段に記憶される自局ＣＭと前記データ読込部が取得した他局ＣＭを対比して他局ＣＭの同一性の判断を行い、前記ＣＭ照合部により自局ＣＭ記憶手段の自局ＣＭと同一と判断された場合に、処理対象の他局ＣＭが同一とされた自局ＣＭ記憶手段の自局ＣＭと同一であることを示す情報を他局ＣＭ情報管理記憶手段に記憶するものである。
【００１２】
このように本発明によれば、処理対象の他局ＣＭを自局ＣＭと対比して同一性を判断して識別しているので、自局ＣＭとの対比において他局ＣＭ動向を把握することができるという効果を有する。
自局ＣＭ記憶手段は後説する実施形態では自局ＣＭデータベースである。ＣＭ調査装置が自局ＣＭ記憶手段を有してもよい。
【００１３】
なお、自局ＣＭと同一の他局ＣＭを対象外とする場合には、他局ＣＭ動向を把握するうえで自局ＣＭと同一のＣＭを除いて効率的に把握することができるという効果を有する。自局でも既に広告を依頼している広告主を除外して分析することができる。なお、その自局でも既に広告を依頼している広告主からより多くの広告の依頼を受けるという観点からは自局ＣＭと同一のＣＭを含めて把握することが望ましい。ここで、調査対象の他局ＣＭがどの広告主のＣＭであるかは、ＣＭ記憶手段に記憶されるＣＭに対して広告主が判明している場合には、同一のＣＭは同一の広告主のものであるため、調査対象の他局ＣＭは同一とされているＣＭ記憶手段のＣＭの広告主と同一となる。
【００１４】
（３）自局ＣＭを自動的に蓄積する
本発明に係るＣＭ調査システムは、自局ＣＭをＣＭ蓄積記憶手段から取得する自局ＣＭデータ読込部と、重複することなく自局ＣＭを記憶する自局ＣＭ記憶手段に記憶される自局ＣＭと前記データ読込部が取得した自局ＣＭを対比して自局ＣＭの同一性の判断を行う自局ＣＭ照合部と、当該自局ＣＭ照合部により自局ＣＭ記憶手段の自局ＣＭと同一でないと判断された自局ＣＭを前記自局ＣＭ記憶手段に格納する自局ＣＭ格納部とを含む自局ＣＭ蓄積装置と、前記（２）に記載のＣＭ調査装置からなるものである。
このように本発明によれば、識別するための他局ＣＭだけでなく、自局ＣＭも自動的に格納することができる。
【００１５】
（４）一つしかない他局ＣＭを調査結果として出力しない
本発明に係るＣＭ調査利用者端末は、前記（１）ないし（３）のいずれかのＣＭ調査装置により他局ＣＭ情報管理記憶手段に記憶された他局ＣＭ情報を調査結果として出力するＣＭ調査結果出力部を含むＣＭ調査利用者端末であって、ＣＭ調査結果出力部が、他局ＣＭのうち同一のＣＭであることを示す情報に基づく他局ＣＭ毎の回数が所定回又は所定回以下の他局ＣＭについて調査結果として出力しないものである。
【００１６】
このように本発明によれば、他局ＣＭが所定回又はそれ以下しか放送されない場合にその他局ＣＭを調査結果として出力しないので、ＣＭでない他局ＣＭや重要性の低い他局ＣＭを除外して他局ＣＭ動向を把握することができるという効果を有する。ＣＭでない他局ＣＭが読み込まれる一つの原因は、放送信号を番組とＣＭに誤り無く分離することができないからである。
【００１７】
後説する実施形態では回数が１である他局ＣＭは出力していない。
ＣＭ調査装置として把握した本発明は、所謂当業者であれば明らかであるように、プログラムとしても把握することができる。
これら前記の発明の概要は、本発明に必須となる特徴を列挙したものではなく、これら複数の特徴のサブコンビネーションも発明となり得る。
【発明を実施するための最良の形態】
【００１８】
本発明の実施の形態を図面に基づいて詳細に説明する。本発明は多くの異なる形態で実施可能である。したがって、本実施形態の記載内容のみで解釈すべきではない。また、本実施の形態の全体を通して同じ要素には同じ符号を付けている。
【００１９】
本実施の形態では、主にシステムについて説明するが、所謂当業者であれば明らかな通り、本発明はコンピュータで使用可能なプログラム及び方法としても実施できる。また、本発明は、ハードウェア、ソフトウェア、または、ソフトウェア及びハードウェアの実施形態で実施可能である。プログラムは、ハードディスク、ＣＤ−ＲＯＭ、ＤＶＤ−ＲＯＭ、光記憶装置または磁気記憶装置等の任意のコンピュータ可読媒体に記録できる。さらに、プログラムはネットワークを介した他のコンピュータに記録することができる。
【００２０】
（本発明の第１の実施形態）
［１．システム構成］
［１．１  ネットワーク構成］
図１は本実施形態に係るＣＭ調査システムのネットワーク構成図の一例である。
本実施形態に係るＣＭ調査システムは、放送信号受信装置１０、放送信号データベースサーバ２０、ＣＭ調査装置３０、ＣＭデータベースサーバ４０及びＣＭ調査利用者端末５０からなる。
【００２１】
図１に示すネットワーク構成はＣＭ調査システムの一例を示すものであり、他例のネットワーク構成を採ることもできる。例えば、放送信号データベースサーバ２０、ＣＭ調査装置３０、ＣＭデータベースサーバ４０を一つのコンピュータ上に構築することもでき、さらには、放送信号受信装置１０及び／又はＣＭ調査利用者端末５０もその一つのコンピュータ上に構築することもできる。
【００２２】
放送信号受信装置１０、放送信号データベースサーバ２０、ＣＭ調査装置３０、ＣＭデータベースサーバ４０及びＣＭ調査利用者端末５０は、同じネットワークシステム上にあり、相互に通信可能となっている。後説するようにこれら構成要素全てが相互に通信するわけではないため、後説する動作が可能となるネットワーク構成を採ることで本実施形態は構築可能である。つまり、図１のネットワーク構成も一例に過ぎない。
【００２３】
［１．２  ハードウェア］
図２は本実施形態に係るコンピュータのハードウェア構成の模式図である。
放送信号受信装置１０は、図２に示すように、ＣＰＵ(Central Processing Unit)１０１、メインメモリ１０２、マザーボードチップセット１０３、ビデオカード１０４、ＨＤＤ(Hard Disk drive)１１１、ブリッジ回路１１２、ネットワークインタフェース１１３、ＩＥＥＥインタフェース１１４、光学ドライブ１２１、キーボード１２２及びマウス１２３からなる。
【００２４】
メインメモリ１０２は、ＣＰＵバス及びマザーボードチップセット１０３を介してＣＰＵ１０１に接続されている。
ビデオカード１０４は、ＡＧＢ(Accelerated Graphics Port)及びマザーボードチップセット１０３を介してＣＰＵ１０１に接続している。
【００２５】
ＨＤＤ１１１は、ＰＣＩ(Peripheral Component Interconnect)バス及びマザーボードチップセット１０３を介してＣＰＵ１０１に接続している。同様の接続構成で、ネットワークインタフェース１１３及びＩＥＥＥ(Institute of Electrical and Electronics Engineer)インタフェース１１４も、ＣＰＵ１０１に接続している。ネットワークインタフェース１１３はネットワークケーブルを介してネットワーク装置（ハブなど）と接続している。ＩＥＥＥインタフェース１１４は例えばＩＥＥＥ１３９４ケーブルを介してＴＶチューナーボックス１２と接続している。
【００２６】
ＴＶチューナーボックス１２は、放送信号の電波を受信するアンテナ１１とアンテナケーブルを介して接続している。アンテナ１１で受信した放送信号の電波が電気信号となってアンテナケーブルを介してＴＶチューナーボックス１２に送られる。ＴＶチューナーボックス１２は受け取った電気信号から特定の放送局の放送信号を取り出し、所定データ形式に変換して接続するＩＥＥＥ１３９４ケーブルを介して放送信号受信装置１０を構築するコンピュータに送る。ここでは、コンピュータと外部接続するＴＶチューナーボックス１２を使用したが、コンピュータとＰＣＩバス接続する内蔵型のＴＶチューナーを用いることもできる。ＴＶチューナーとアンテナが一体となった機器を用いることもできる。ＵＳＢ接続型のＴＶチューナーを用いることもできる。
【００２７】
光学ドライブ１２１は、低速バス、低速バスとＰＣＩバスのブリッジ回路１１２、ＰＣＩバス及びマザーボードチップセット１０３を介してＣＰＵに接続している。同様の接続構成で、キーボード１２２及びマウス１２３も、ＣＰＵ１０１に接続している。光学ドライブ１２１は、光ディスクにレーザー光を照射してデータを読み込む（又は読み書きする）ドライブであり、例えば、ＣＤ−ＲＯＭドライブ、ＤＶＤドライブなどが該当する。
【００２８】
ここでのハードウェア構成は、放送信号受信装置１０を構築しているコンピュータの説示としたが、放送信号データベース２０、ＣＭ調査装置３０、ＣＭデータベースサーバ４０、ＣＭ調査利用者端末５０が構築されるコンピュータも略同様の構成である。なお、ＩＥＥＥインタフェース１１４は、放送信号受信装置１０が構築されるコンピュータがＴＶチューナーボックス１２と接続するために備えられたものであり、放送信号データベース２０、ＣＭ調査装置３０、ＣＭデータベースサーバ４０、ＣＭ調査利用者端末５０が構築されるコンピュータではアンテナ１１及びＴＶチューナーボックス１２と接続しないため備える必要はない。
【００２９】
なお、図２は本実施形態に係る放送信号受信装置１０、放送信号データベース２０、ＣＭ調査装置３０、ＣＭデータベースサーバ４０、ＣＭ調査利用者端末５０の構築されるコンピュータのハードウェア構成を模式的に示した一例に過ぎず、本実施形態を適用可能であれば、他の様々な構成を採ることができる。
【００３０】
［１．３  システム構成要素］
図３は本実施形態に係るＣＭ調査システムの構成要素のモジュール構成図である。
前記放送信号受信装置１０は、放送信号の電波を受信するアンテナ（空中線）１１と、このアンテナ１１で受信した放送信号の中から指定された特定の放送局の放送信号を取り出すＴＶチューナーボックス１２と、このＴＶチューナーボックス１２から出力された特定の放送局の放送信号を番組とＣＭに分割する番組ＣＭ分割部１３とを含む。本実施形態においては、この放送信号受信装置１０は、調査対象とする放送局分必要となる。例えば、調査対象とする放送局が「○○○局」、「△△△局」、「□□□局」の３つである場合には、３つの放送信号受信装置１０が必要となる。ただし、放送信号受信装置１０を構築したコンピュータに複数のＴＶチューナーボックス１２を接続することもできるため、その場合には調査対象数の放送信号受信装置１０を用意する必要はない。また、本実施形態においては、放送信号受信装置１０の構成要素のうち、アンテナ１１は共通に使用し、入力信号を複数に分ける分配器を用いる構成とするが、放送信号受信装置１０毎にアンテナ１１を設けてもよい。
【００３１】
前記アンテナ、ＴＶチューナーは周知・慣用技術であり、詳細な説明は省略する。
番組ＣＭ分割部１３は、周知・慣用技術のＣＭと番組を分割する手法も用いる。例えば、放送信号の音声が無音部分を検出して、その検出した無音部分をＣＭの開始又は終了することで、ＣＭと番組を識別することが可能となる。音声信号のＣＭと番組の境界を特定すると、それに対応する映像信号上のＣＭと番組の境界も特定することができる。これにより、音声信号及び映像信号ともにＣＭと番組に分割することができる。本実施形態では、放送信号からＣＭの音声信号及び映像信号と、番組の音声信号及び映像信号を取得して蓄積しているが、少なくもＣＭの音声信号及び映像信号を蓄積すればよい。また、ＣＭの音声信号及び映像信号を蓄積しているが、後説のＣＭ照合部３２のＣＭ照合で使用する方を蓄積する構成であってもよい。ただし、放送局員がＣＭ調査利用者端末５０を用いて調査結果と共にＣＭを閲覧可能とする場合には、ＣＭの音声信号及び映像信号を出力することが望ましく、両方を蓄積するのがよい。
【００３２】
放送信号データベースサーバ２０は、番組のみが蓄積された番組蓄積データベース２１と、ＣＭのみが蓄積されたＣＭ蓄積データベース２２を管理する機能を有する。詳細には、認証を経た外部からの追加、更新、削除の要求を受けて、該当操作を実行する。前説した通り、本実施形態ではＣＭ蓄積データベース２２のみの構成であってもよい。ＣＭ蓄積データベース２２は、放送局、放送日時、ＣＭ秒数及びＣＭデータからなる。
ＣＭ調査装置３０は、データ読込部３１、ＣＭ照合部３２、他局ＣＭ格納部３３及び他局ＣＭ情報操作部３４からなる。
【００３３】
データ読込部３１は、指定された調査期間に含まれるＣＭをＣＭ蓄積データベース２２から取得する機能を有する。詳細には、放送信号データベースサーバ２０にアクセスして、認証を経た後に、指定された調査対象期間のＣＭを取得できるような問い合わせを実行する。問い合わせは、使用するデータベース系で用いられる照会言語に従う。ここで、ＣＭ調査装置３０がＣＭを取得した後に、取得したＣＭについては放送信号データベースサーバ２０内から削除してもよい。このように一旦取得して処理ＣＭが放送信号データベースサーバ２０内で削除されたとしても、他局ＣＭ情報管理データベース４３内に他局ＣＭ情報は蓄積されているため、調査期間が前回以前の調査期間と重複する場合であっても重複しない調査期間の他局ＣＭを処理して他局ＣＭ情報を求め、既に処理されている重複期間の他局ＣＭ情報と合わせて調査期間の他局ＣＭ情報とすることができる。これは、これまで設定された調査期間を記録している場合には、前説のように放送信号データベースサーバ２０内から処理した他局ＣＭを削除しなくとも実現することができる。データ読込部３１のデータ読込順序は、調査期間内の他局ＣＭをランダムに読み込んでもよいが、放送局毎に読み込むことが望ましく、時系列順に読み込むことが望ましい。
【００３４】
ＣＭ照合部３２は、自局ＣＭデータベース４１内に蓄積されるＣＭの映像信号を取得し、データ読込部３１により取得されたＣＭの映像信号と対比し、同一のＣＭか否かを判断し、自局ＣＭデータベース４１の自局ＣＭのいずれとも同一でない場合に他局ＣＭデータベース４２内に蓄積されるＣＭの映像信号を取得して、データ読込部３１により取得されたＣＭの映像信号と対比し、同一のＣＭか否かを判断する機能を有する。本実施形態においては、ＣＭの同一性判断にあたってＣＭの映像信号を用いたが、音声信号でもよく、映像信号及び音声信号であってもよい。
【００３５】
ここでの、映像信号の照合技術は、周知・慣用技術、公知技術を用いることができる。第１に、データ読込部３１のＣＭ映像信号、ＣＭデータベースサーバ４０のＣＭ映像信号それぞれを構成するフレーム同士を画像照合し、所定の類似度を持って同一とみなす照合処理を用いることができる。第２に、前記第１のフレーム同士の画像照合を、所定間隔毎に実行するものを用いることができる。第３に、前記第１又は第２のフレームの画像照合を、直接画像ではなく周波数変換などの特徴データを算出して照合するものを用いることもできる。第４に、映像信号の代わりに音声信号でも同様の処理を行うことができる。第５に、映像信号及び音声信号を共に用いて、どちらか一方が所定の類似度を有している場合、又は、どちらも所定の類似度を有している場合に同一のＣＭとすることもできる。
【００３６】
本実施形態では、前記第３の方法を用い、ＣＭ映像信号の特徴データを求めてそれらの対比によりＣＭの同一性を求める。したがって、ＣＭ照合部３２は、データ読込部３１により取得されたＣＭの映像信号の特徴データを算出し、自局ＣＭデータベース４１又は他局ＣＭデータベース４２内に蓄積されるＣＭの映像信号の予め求められている特徴データを取得し、それらの特徴量を対比して類似度を求め、所定閾値を超えているか否かにより、ＣＭの同一性を判断する。
【００３７】
ＣＭデータベースサーバ４０は、自局ＣＭデータベース４１、他局ＣＭデータベース４２、他局ＣＭ情報管理データベース４３を管理する機能を有する。詳細には、認証を経た外部からの追加、更新、削除の要求を受けて、該当操作を実行する。自局ＣＭデータベース４１は、ＣＭを一意に識別するＣＭＩＤ、ＣＭデータ、特徴データからなる。他局ＣＭデータベース４２も、自局ＣＭデータベース４１と同様に、ＣＭＩＤ、ＣＭデータ、特徴データからなる。ここで、自局ＣＭデータベース４１はＣＭ名、広告主を有することが望ましい。
【００３８】
他局ＣＭ情報管理データベース４３は、ＣＭＩＤ、重複ＣＭＩＤ、回数（同一放送局で同一のＣＭ回数）、判定フラグ、ＣＭ時間、放送局、放送日時、ＣＭ名、広告主及びＣＭ区分からなる。
【００３９】
重複ＣＭＩＤは処理対象のＣＭと同一とされた自局又は他局のＣＭＩＤである。同一放送局の同一の重複ＣＭＩＤを集計することで、その調査期間で同じＣＭが何回放送されたかを把握することができる。利用者が選択している他局ＣＭ情報の重複ＣＭＩＤに基づいて自局ＣＭデータベース４１又は他局ＣＭデータベース４２からＣＭデータを読み出し、再生することで利用者が選択しているＣＭ内容を見ることができる。
【００４０】
回数は他のＣＭと同一とされていない場合に初期値の１が付与され、同一のＣＭとされた時系列の順に従って１インクリメントされる。例えば、あるＣＭが放送されて処理された場合には回数には初期値の１が付与され、それと同一のＣＭが以降に放送されて処理された場合には１インクリメントされた２が付与され、以降の放送の度に１インクリメントされた値が付与される。
判定フラグは、回数が初期値の１のとき立ち上がるフラグである。
【００４１】
ＣＭ名、広告主は、他局ＣＭデータベース４２内のＣＭと同一とされた場合には、その同一とされたＣＭに係る他局ＣＭ情報のＣＭ名、広告主となる。自局ＣＭデータベース４１がＣＭ名、広告主を有している場合には、自局ＣＭデータベース４１内のＣＭと同一とされた場合には、その同一とされたＣＭのＣＭ名、広告主となる。
【００４２】
ＣＭ区分は、「未確認」、「対象外」、「ネットＣＭ」、「調査対象」の値がある。「未確認」はＣＭ区分が確認されていない区分値である。「対象外」はＣＭと認識した番組であったり、ＣＭと認識した番組ＰＲであったり、ＣＭでなかったものに付与される区分値である。「ネットＣＭ」はキー局で挿入されたＣＭに付与される区分値である。「調査対象」はＣＭ調査の調査対象となるＣＭに付与される区分値である。この「調査対象」のＣＭ区分値が付与されているＣＭのみがＣＭ調査の調査対象となる。初期値は「未確認」であり、自局ＣＭデータベース４１又は他局ＣＭデータベース４２内のＣＭと同一とされた場合には「調査対象」が付与される。このＣＭ区分はＣＭ調査利用者端末５０を用いて利用者が変更することができる。なお、
他局ＣＭ格納部３３は、ＣＭ照合部３２で自局ＣＭデータベース４１、他局ＣＭデータベース４２のいずれにもＣＭが蓄積されていない新たなＣＭを他局ＣＭデータベース４２に格納する機能を有する。
他局ＣＭ情報操作部３４は、一のＣＭについてのＣＭ照合部３２の照合結果に従って他局ＣＭ情報管理データベースにその一のＣＭについてのＣＭ情報を追加する機能を有する。
【００４３】
ＣＭ調査利用者端末５０は、ＣＭ調査設定部５１と、ＣＭ調査結果出力部５２とからなる。ＣＭ調査設定部５１は、ＣＭ調査の設定を利用者から受け付け、受け付けた設定を行う機能を有する。詳細には、ＣＭ調査設定部５１は、受け付けた設定をＣＭ調査装置３０に送り出す。ＣＭ調査装置３０は、そのＣＭ調査設定を受け取り、ＣＭ調査を実行する。ＣＭ調査設定の項目は、主に調査期間である。調査期間は調査開始日時と調査終了日時からなる。ＣＭ調査結果出力部５２は、ＣＭ調査装置３０により処理されたＣＭ調査結果を取得して出力する機能を有する。詳細には、ＣＭ調査結果出力部５２は、指定されたＣＭ調査設定に従ってＣＭ調査装置３０により処理されたＣＭ調査結果を他局ＣＭ情報管理データベース４３から読み出して取得する構成となっているが、ＣＭ調査装置３０が他局ＣＭ情報管理データベース４３に他局ＣＭ情報を追加すると共に一時記憶領域に保有してＣＭ調査利用者端末５０に返す構成であってもよい。
【００４４】
ＣＭ調査結果出力部５２は、判定フラグが立っているＣＭ、つまり、調査期間中の同じ放送局において回数が１回とされるＣＭは出力対象としない構成である。回数が１回のみであるＣＭをＣＭ情報管理データベース４３から読み出さない。ここで、回数が１回のみであるＣＭをＣＭ情報管理データベース４３から読み出すものの、出力しない構成にすることもできる。
【００４５】
［２．動作］
各放送信号受信装置１０で収集され、放送信号データベースサーバ２０に番組、ＣＭが蓄積されるまでの処理は明らかであるため、説明は省略する。
［２．１  自局ＣＭデータベースのデータ追加］
自局のＣＭについては、ＣＭバンク装置、各種営業システムから映像信号及び音声信号からなるＣＭデータを取得することができる。この取得したＣＭデータの映像信号からＣＭ照合部３２の処理と同様に、ＣＭの映像信号の特徴データを算出する。ＣＭ毎にＣＭデータ、算出したＣＭの特徴データを自局ＣＭデータベースに追加する。
【００４６】
例えば、利用者がネットワーク又は外部記憶媒体を用いてＣＭ調査利用者端末５０上に自局のＣＭデータを取り込み、映像信号からその映像信号の特徴データを算出する特徴データ算出部を用いて取り込んだＣＭデータの映像信号からＣＭの映像信号の特徴データを算出し、さらに、算出した特徴データと元となったＣＭデータを自局ＣＭデータベース４１に追加する。これを具体的に実現するために、自局ＣＭデータベース４１へ特徴データとＣＭデータの組合せを追加する自局ＣＭデータベース操作部と、前記特徴データ算出部を備える自局ＣＭインポート機能をＣＭ調査利用者端末５０に追加する。勿論、他のコンピュータ上に自局ＣＭインポート機能を実装してもよいし、特徴データ算出部のみを実装し、自局ＣＭデータベース操作部は一般的にデータベースの開発会社が提供する照会言語を用いるデータベースクライアントを使用して追加してもよい。このＣＭの追加に伴い、各ＣＭにＣＭ名、広告主を追加してもよい。
【００４７】
［２．２  ＣＭ調査動作］
図４は本実施形態に係るＣＭ調査システムのＣＭ調査動作のフローチャートである。図５は本実施形態に係るＣＭ調査利用者端末でのＧＵＩの一例である。
ＣＭ調査利用者端末５０を起動させ認証を経た後に、図示しない図５のトップ画面から、図５（ａ）の「新規調査設定」を押下すると、調査期間及びメモが設定可能に表示される調査設定ウィンドウ（図示しない）が表示される。例えば、利用者はＣＭ調査利用者端末５０に対し、調査期間の調査開始日時を「2006/04/01(09:00:00)」、とし、調査終了日時を「2006/04/07(08:59:59)」として入力する。
【００４８】
ＣＭ調査利用者端末５０のＣＭ調査設定部５１が調査期間を受け付ける。受け付けた調査期間は、ＣＭ調査装置３０に送り出される。
ＣＭ調査装置３０は、利用者から受け付けた調査期間を取り込み、データ読込部３１は取り込んだ調査期間に含まれるＣＭの映像信号をＣＭ蓄積データベース２２から取得する（ステップＳ２００）。なお、ここで既に他局ＣＭ情報が求まって他局ＣＭ情報管理データベース４３に蓄積されている場合には、その求まっている調査期間に関しては以降の処理を実施しない構成とすることもできる。
【００４９】
ＣＭ調査照合部３２は、データ読込部３１により取り込まれた調査期間内のＣＭの映像信号で以降の処理がなされていないＣＭの映像信号があるか否かを判断し（ステップＳ２０５）、ないと判断した場合には処理を終了する。
【００５０】
前記ステップＳ２０５で未処理のＣＭの映像信号があると判断した場合に、ＣＭ照合部３２は処理対象のＣＭの映像信号の特徴データを算出し、自局ＣＭデータベース４１から少なくともこの時点までに読み出したＣＭの映像信号の特徴データと対比し（ステップＳ２１０）、その一のＣＭと同一となる自局ＣＭがあるか否かを判断する（ステップＳ２１５）。ここでの対比は自局ＣＭデータベース４１の全ての自局ＣＭの映像信号の特徴データが対象となる。
【００５１】
ＣＭ照合部３２により自局ＣＭと同一であると判断した場合には、他局ＣＭ情報操作部３４が自局ＣＭ情報を取得し（ステップＳ２４０）、取得した自局ＣＭのＣＭ名、広告主、ＣＭ区分、ＣＭＩＤを処理対象のＣＭについてのＣＭ情報（それぞれＣＭ名、広告主、ＣＭ区分「調査対象」、重複ＣＭＩＤ）として他局ＣＭ情報管理データベース４３に追加する。他局ＣＭ情報管理データ４３の他の属性は、ＣＭＩＤ、ＣＭ時間、放送局、放送日時は処理対象のＣＭの属性から明らかであり、その値を追加する。また、残りの属性である回数、判定フラグは次のようにして追加される。回数は、同じ放送局で同じ調査期間で同一の重複ＣＭＩＤを有する他のＣＭの総数に１を加算した数を追加する。判定フラグは追加する回数の数が２以上であれば０となり、１であれば１となる。前記ステップＳ２４０以降の処理対象のＣＭについての他局ＣＭ情報操作部３４による他局ＣＭ情報管理データベース４３への追加処理はステップＳ２３５となる。
【００５２】
前記ステップＳ２１５で処理対象のＣＭは自局ＣＭと同一ではないと判断した場合には、算出した処理対象のＣＭの特徴データを、他局ＣＭデータベースから少なくともこの時点までに読み出したＣＭの映像信号の特徴データと対比し（ステップＳ２２０）、そのＣＭと同一となる他局ＣＭがあるか否かを判断する（ステップＳ２２５）。ＣＭ照合部３２により他局ＣＭと同一であると判断した場合には、他局ＣＭのＣＭ名、広告主、ＣＭ区分、ＣＭＩＤを処理対象のＣＭについてのＣＭ情報（それぞれＣＭ名、広告主、ＣＭ区分「調査対象」、重複ＣＭＩＤ）として他局ＣＭ情報管理データベース４３に追加する。他局ＣＭ情報管理データ４３の他の属性は、ＣＭＩＤ、ＣＭ時間、放送局、放送日時は処理対象のＣＭの属性から明らかであり、その値を追加する。また、残りの属性である回数、判定フラグは次のようにして追加される。回数は、同じ放送局で同じ調査期間で同一の重複ＣＭＩＤを有する他のＣＭの総数に１を加算した数を追加する。判定フラグは追加する回数の数が２以上であれば０となり、１であれば１となる。前記ステップＳ２２５以降の処理対象のＣＭについての他局ＣＭ情報操作部３４による他局ＣＭ情報管理データベース４３の追加処理はステップＳ２３５となる。
【００５３】
前記ステップＳ２２５においてＣＭ照合部３２により他局ＣＭと同一でないと判断した場合には、処理対象のＣＭのＣＭＩＤ、ＣＭデータ及び特徴データを他局ＣＭデータベース４２に追加する（ステップＳ２３０）。一のＣＭについてのＣＭ名、広告主、ＣＭ区分は新たなＣＭのため値がないため「ＮＵＬＬ」又は「値なし」（ＣＭ区分だけは「未確認」とする）として他局ＣＭ情報管理データベース４３に追加する。ＣＭＩＤ、ＣＭ時間、放送局、放送日時は処理対象となっている一のＣＭの属性から明らかであり、その値を追加する、重複ＣＭＩＤも一のＣＭのＣＭＩＤでよい。また、残りの属性である回数は、「１」であり、判定フラグは１となってフラグが立っている。前記ステップＳ２３０以降の処理対象のＣＭについての他局ＣＭ情報操作部３４による他局ＣＭ情報管理データベース４３の追加処理はステップＳ２３５となる。
ステップＳ２３５の後は、ステップ２００に戻る。
【００５４】
処理を終了した後に、利用者がＣＭ利用者端末５０の図５（ｂ）の「未確認ＣＭメンテナンス」を押下すると、ＣＭ調査結果出力部５２は他局ＣＭ情報管理データベース４３から調査期間の調査結果を取得して出力して、図５に示す通りとなる。
図５のウィンドウ中央部に調査結果の集計を示し、ウィンドウ底部に調査結果の詳細をＣＭ毎にＣＭ区分に従って表示している。
【００５５】
調査結果の集計は、調査期間／メモ、合計ＣＭ数、局別ＣＭ、担当者、状況のフィールドからなる。メモは調査期間の設定時に必要に応じて設定した利用者が入力したものである。合計ＣＭ数は調査期間における対象放送局におけるＣＭの総数と、ＣＭ区分に従った未確認及び確定とからなる。確定はＣＭ区分値が「対象外」、「ネットＣＭ」、「調査対象」のときである。この合計ＣＭ数のフィールドの放送局別が局別ＣＭのフィールドである。担当者は調査設定した利用者のことである。状況は「確定」と「未確定」からなり、未確定のＣＭが一つでもあれば「未確定」となり、全て確定のＣＭとなったとき「確定」となる。
【００５６】
調査結果の詳細の上部にあるＣＭ区分のリストボックスは、選択されているＣＭ区分に該当するＣＭの詳細を下部のリストに表示する。画像表示のチェックボックスをチェックした状態で「再表示」のボタンを押下することで、下部のリスト内のＣＭのサムネイルがいくつか表示されて再描画される。逆に、画像表示のチェックボックスをチェックしない状態で「再表示」のボタンを押下することで、下部のリスト内のＣＭのサムネイルがなくなって再描画される。「ＣＭ区分変更」のボタンは、リスト内の右端の「ＣＫ」フィールドのチェックボックスが有効となっているＣＭに対して、別ウィンドウで指定可能なＣＭ区分値に一括してＣＭ区分を変更するためのボタンである。下部のリスト内のフィールドのうち、「秒」はＣＭ時間に等しく、「放送日時」は回数が１のＣＭの放送日時であり（これは同じＣＭの中から代表して最も古い放送日時を表示しているが、最新の放送日時であってもよい）、「本数」は重複ＣＭＩＤの最大回数に等しい。「プレビュー」のフィールドの「表示」ボタンを押下すると、該当ＣＭのＣＭデータが重複ＣＭＩＤに基づいて自局ＣＭデータベース４１、他局ＣＭデータベース４２から読み出されて別ウィンドウにてＣＭデータの映像信号と音声信号が再生される。
【００５７】
ここで、ＣＭ調査結果出力部５２により、図５のウィンドウが表示されているのであるが、下部のリストには回数１回のＣＭ、判定フラグが立っているＣＭは表示されない。このように構成することで、ＣＭではないものが除外されたり、ＣＭであっても広告枠が少ないＣＭを対象外として効率的な他局ＣＭ動向の分析を行うことができる。ここで、回数１回のＣＭではなく、回数１回のＣＭで且つＣＭ区分が「未確認」のＣＭに対して判定フラグを立てて出力対象外とする構成が望ましい。
【００５８】
図５のウィンドウの下部リストの各ＣＭのＣＭＩＤを押下すると、別ウィンドウが表示され、リスト内のＣＭ名、広告主などを入力することができる。入力された値は他局ＣＭ情報管理データベース４３上で該当ＣＭについて更新される。
【００５９】
（その他の実施形態）
［自局ＣＭの自動蓄積］
前記第１の実施形態においては自局ＣＭデータベースに蓄積している自局ＣＭ、特徴データは利用者が事前に用意するものであると説示したが、新たに自局ＣＭ蓄積装置６０を設け、また、自局用の放送信号受信装置１０を設け、放送信号データベース２０を介して自局ＣＭを取り込み、新たな自局ＣＭを自局ＣＭデータベース４１に追加する構成を採ることもできる。図６は本実施形態に係るＣＭ調査システムの構成要素のモジュール構成図である。ただし、図示上の便宜のため、自局ＣＭ蓄積に係るモジュール構成のみを示している。
【００６０】
自局ＣＭ蓄積装置６０は、自局ＣＭデータ読込部６１、自局ＣＭ照合部６２及び自局ＣＭ格納部６３からなる。
自局ＣＭデータ読込部６１は放送信号データベースサーバ２０のＣＭデータベース２２に格納されているＣＭのうち読み込んでいない自局ＣＭを読み込む。ここで、自局ＣＭデータ読込部６１が自局ＣＭを読み込んだ後に、読み込んだ自局ＣＭについては放送信号データベースサーバ２０内から削除してもよい。
【００６１】
自局ＣＭ照合部６２は、前記第１の実施形態と説示したように、読み込んだＣＭの映像信号の特徴データを算出し、自局ＣＭデータベース４１に格納されているＣＭの特徴データを少なくともこの時点まで読み出して対比し、類似度に基づいて同一か否かを判断する機能を有する。
【００６２】
自局ＣＭ格納部６３は、前記自局ＣＭ照合部６２の照合結果に基づいて同一のＣＭが既に自局ＣＭデータベース４１に格納されている場合には処理対象のＣＭを追加せず、他方、同一のＣＭが未だ自局ＣＭデータベース４１に格納されていない場合には処理対象のＣＭを追加する機能を有する。自局ＣＭデータベース４１にはＣＭＩＤ、ＣＭデータ、特徴データは自動的に格納されるものの、ＣＭ名、広告主、ＣＭ区分は自動的に格納されないため、ＣＭ調査利用者端末５０を用いてこれらＣＭ名、広告主、ＣＭ区分を更新する構成とすることもできる。
【００６３】
［自局ＣＭと同一ＣＭの調査非対象］
前記第１の実施形態においては自局ＣＭと同一である他局ＣＭであっても、ＣＭ区分を「調査対象」としたが、「対象外」とすることもできる。
さらに、前記第１の実施形態においては自局ＣＭと同一である他局ＣＭであっても、自局ＣＭ情報を取得し（ステップＳ２４０）、ＣＭ割付処理（ステップＳ２３５）を実行しているが、他局ＣＭが自局ＣＭと同一であると判断された時点で、ステップＳ２００に移行して次の他局ＣＭ処理を行う構成にすることもできる。
【００６４】
このように自局ＣＭと同一である他局ＣＭを扱うことで、他局と共通の広告主に対する余分な分析を回避することができる。しかしながら、同じスポンサーでもより多くの広告枠をとるように営業することもあり、オプション機能として利用者の設定に応じて機能をオンオフする構成であることが望ましい。
【００６５】
以上の前記各実施形態により本発明を説明したが、本発明の技術的範囲は実施形態に記載の範囲には限定されず、これら各実施形態に多様な変更又は改良を加えることが可能である。そして、かような変更又は改良を加えた実施の形態も本発明の技術的範囲に含まれる。このことは、特許請求の範囲及び課題を解決する手段からも明らかなことである。
【図面の簡単な説明】
【００６６】
【図１】本発明の第１の実施形態に係るＣＭ調査システムのネットワーク構成図の一例である。
【図２】本発明の第１の実施形態に係るコンピュータのハードウェア構成の模式図である。
【図３】本発明の第１の実施形態に係るＣＭ調査システムの構成要素のモジュール構成図である。
【図４】本発明の第１の実施形態に係るＣＭ調査システムのＣＭ調査動作のフローチャートである。
【図５】本発明の第１の実施形態に係るＣＭ調査利用者端末でのＧＵＩの一例である。
【図６】本発明のその他の実施形態に係るＣＭ調査システムの構成要素のモジュール構成図である。
【符号の説明】
【００６７】
１０  放送信号受信装置
１１  アンテナ
１２  ＴＶチューナーボックス
１３  番組ＣＭ分割部
２０  放送信号データベースサーバ
２１  番組蓄積データベース
２２  ＣＭ蓄積データベース
３０  ＣＭ調査装置
３１  データ読込部
３２  ＣＭ照合部
３３  他局ＣＭ格納部
３４  他局ＣＭ情報操作部
４０  ＣＭデータベースサーバ
４１  自局ＣＭデータベース
４２  他局ＣＭデータベース
４３  他局ＣＭ情報管理データベース
５０  ＣＭ調査利用者端末
５１  ＣＭ調査設定部
５２  ＣＭ調査結果出力部
６０  自局ＣＭ蓄積装置
６１  自局ＣＭデータ読込部
６２  自局ＣＭ照合部
６３  自局ＣＭ格納部
１０１  ＣＰＵ
１０２  メインメモリ
１０３  マザーボードチップセット
１０４  ビデオカード
１１１  ＨＤＤ
１１２  ブリッジ回路
１１３  ネットワークインタフェース
１１４  ＩＥＥＥインタフェース
１２１  光学ドライブ
１２２  キーボード
１２３  マウス
【図１】
2008176705.tif 000003
【図２】
2008176705.tif 000004
【図３】
2008176705.tif 000005
【図４】
2008176705.tif 000006
【図５】
2008176705.tif 000007
【図６】
2008176705.tif 000008